(57)【要約】【課題】遊技台に対して不正に貸出指示を行って遊技媒体を獲得するゴト行為に対するセキュリティ性を高めること。【解決手段】遊技台に記憶された認証鍵と対応する認証鍵を記憶部に記憶し、認証情報生成部が、所定の認証情報を遊技台との間で共有し、暗号化・復号部および認証依頼部が、遊技台との間で共有された認証情報を含んだ認証依頼を記憶部に記憶された認証鍵を用いて暗号化したうえで遊技台に対して送信し、暗号化・復号部および許可部が、暗号化された情報を遊技台から受け取った場合に、暗号化された情報を記憶部に記憶された認証鍵を用いて復号することによって得られた復号情報に認証情報が含まれており、かつ、復号情報に含まれた認証情報と記憶部に記憶された認証情報とが一致したならば、遊技台に対する遊技媒体の貸出指示を許可するように台間装置を構成する。【選択図】図３
2011083309.tif 000002
【特許請求の範囲】
【請求項１】
遊技台に対応して設けられる台間装置であって、
前記遊技台に記憶された認証鍵と対応する認証鍵を記憶する認証鍵記憶手段と、
所定の認証情報を前記遊技台との間で共有する認証情報共有手段と、
前記認証情報共有手段によって共有された認証情報を含んだ認証依頼を前記認証鍵記憶手段に記憶された認証鍵を用いて暗号化したうえで前記遊技台に対して送信する認証依頼手段と、
暗号化された情報を前記遊技台から受け取った場合に、前記暗号化された情報を前記認証鍵記憶手段に記憶された認証鍵を用いて復号することによって得られた復号情報に認証情報が含まれており、かつ、前記復号情報に含まれる認証情報と前記認証情報共有手段によって共有された認証情報とが一致したならば、前記遊技台に対する遊技媒体の貸出指示を許可する許可手段と
を備えたことを特徴とする台間装置。
【請求項２】
前記認証依頼手段は、
前記遊技台と接続した場合、入金を受け付けた場合、遊技媒体の貸し出し操作を受け付けた場合あるいは異常状態から復帰した旨を前記遊技台から受けた場合に、前記認証情報共有手段によって共有された認証情報を含んだ認証依頼を前記認証鍵記憶手段に記憶された認証鍵を用いて暗号化したうえで前記遊技台に対して送信することを特徴とする請求項１に記載の台間装置。
【請求項３】
前記認証依頼手段は、
前記遊技台に対する遊技媒体の貸出指示ごとに、前記認証鍵記憶手段に記憶された認証鍵を用いて暗号化した前記認証依頼を前記遊技台に対して送信し、
前記許可手段は、
前記遊技台に対する遊技媒体の貸出指示が行われたならば、前記遊技台に対する遊技媒体の貸出指示を禁止する
ことを特徴とする請求項１または２に記載の台間装置。
【請求項４】
前記復号情報に含まれる認証情報が、前記認証情報共有手段によって共有された認証情報と一致しなかったならば、所定の異常対応指示を行う異常対応指示手段
をさらに備えたことを特徴とする請求項１、２または３に記載の台間装置。
【請求項５】
前記認証情報共有手段によって共有された認証情報を含んだ貸出指示を前記認証鍵記憶手段に記憶された認証鍵を用いて暗号化したうえで前記遊技台に対して送信する貸出指示手段
をさらに備えたことを特徴とする請求項１〜４のいずれか一つに記載の台間装置。
【請求項６】
遊技台および前記遊技台に対応して設けられる台間装置を有する遊技媒体貸出システムであって、
前記台間装置は、
前記遊技台に記憶された認証鍵と対応する認証鍵を記憶する認証鍵記憶手段と、
所定の認証情報を前記遊技台との間で共有する認証情報共有手段と、
前記認証情報共有手段によって共有された認証情報を含んだ認証依頼を前記認証鍵記憶手段に記憶された認証鍵を用いて暗号化したうえで前記遊技台に対して送信する認証依頼手段と、
暗号化された情報を前記遊技台から受け取った場合に、前記暗号化された情報を前記認証鍵記憶手段に記憶された認証鍵を用いて復号することによって得られた復号情報に認証情報が含まれており、かつ、前記復号情報に含まれる認証情報と前記認証情報共有手段によって共有された認証情報とが一致したならば、前記遊技台に対する遊技媒体の貸出指示を許可する許可手段と
を備え、
前記遊技台は、
前記台間装置が記憶する認証鍵と対応する認証鍵を記憶する記憶手段と、
所定の認証情報を前記台間装置との間で共有する共有手段と、
暗号化された認証依頼を前記台間装置から受け取った場合に、前記記憶手段に記憶された認証鍵を用いて復号された前記認証依頼に含まれる認証情報が、前記共有手段によって共有された認証情報と一致したならば、前記共有手段によって共有された認証情報を含んだ認証依頼を前記記憶手段に記憶された認証鍵を用いて暗号化したうえで前記台間装置に対して送信する依頼手段と
を備えたことを特徴とする遊技媒体貸出システム。
【発明の詳細な説明】
【技術分野】
【０００１】
本発明は、遊技台に対応して設けられる台間装置および遊技媒体貸出システムに関し、特に、遊技台に対して不正に貸出指示を行って遊技媒体を獲得するゴト行為に対するセキュリティ性を高めることができる台間装置および遊技媒体貸出システムに関する。
【背景技術】
【０００２】
従来から、パチンコ店などの遊技店に設置されるパチンコ機やパチスロ機といった遊技台と並設され、紙幣や硬貨といった貨幣を受け付けてパチンコ玉やメダルといった遊技媒体を貸し出す貸出処理機（以下、「台間装置」と記載する）が知られている。
【０００３】
かかる台間装置には、ノズルを介して遊技媒体を遊技台へ貸し出すタイプや、遊技台に対して所定の払出指示を送信して遊技台側に遊技媒体を貸し出させるタイプがある。たとえば、特許文献１には、所定の１単位額相当の玉貸しを遊技台へ要求し、遊技台から玉貸しの準備が整った旨の応答を受けた場合に、遊技台に対する１単位額相当の貸出指示を行う台間装置が開示されている。
【０００４】
具体的には、特許文献１の台間装置は、遊技台に対して貸出指示を行う場合には、所定の信号ピン経由で遊技台へパルス信号を１回出力する。そして、遊技台は、信号ピンにパルス信号が１回入力されたならば、１単位額相当の遊技媒体を貸し出す。このように、台間装置および遊技台は、玉貸処理に伴う指示や応答のやり取りをパルス信号の入出力によって行っている。
【先行技術文献】
【特許文献】
【０００５】
【特許文献１】特許第３５４５３９５号公報
【発明の概要】
【発明が解決しようとする課題】
【０００６】
しかしながら、特許文献１の技術には、ゴト行為に対するセキュリティが不十分であるという問題があった。ここで、ゴト行為とは、いわゆるぶら下がり基板を接続して遊技台に対して不正に貸出指示を行うことで遊技媒体を獲得する行為を指す。
【０００７】
このような問題が発生するのは、従来の台間装置および遊技台が、玉貸処理に伴う指示や応答のやり取りを単にパルス信号の入出力のみで行っているためである。すなわち、ぶら下がり基板は、遊技台に対して擬似的なパルス信号を出力するだけで、遊技媒体の貸し出しを遊技台に対して容易に行わせることができてしまうのである。
【０００８】
また、特許文献１の技術では、遊技台から玉貸しの準備が整った旨の応答を受けたうえで遊技台への貸出指示を行うこととしているが、かかる応答がぶら下がり基板によって偽造されるおそれもある。すなわち、ぶら下がり基板から台間装置に対して擬似的なパルス信号を送信することによって、台間装置に対して遊技台への貸出指示を不正に行わせることも考えられる。
【０００９】
これらのことから、遊技台に対して不正に貸出指示を行って遊技媒体を獲得するゴト行為に対するセキュリティ性を高めることができる台間装置あるいは遊技媒体貸出システムをいかにして実現するかが大きな課題となっている。
【００１０】
本発明は、上述した従来技術による問題点を解消するためになされたものであって、遊技台に対して不正に貸出指示を行って遊技媒体を獲得するゴト行為に対するセキュリティ性を高めることができる台間装置および遊技媒体貸出システムを提供することを目的とする。
【課題を解決するための手段】
【００１１】
上述した課題を解決し、目的を達成するために、本発明は、遊技台に対応して設けられる台間装置であって、前記遊技台に記憶された認証鍵と対応する認証鍵を記憶する認証鍵記憶手段と、所定の認証情報を前記遊技台との間で共有する認証情報共有手段と、前記認証情報共有手段によって共有された認証情報を含んだ認証依頼を前記認証鍵記憶手段に記憶された認証鍵を用いて暗号化したうえで前記遊技台に対して送信する認証依頼手段と、暗号化された情報を前記遊技台から受け取った場合に、前記暗号化された情報を前記認証鍵記憶手段に記憶された認証鍵を用いて復号することによって得られた復号情報に認証情報が含まれており、かつ、前記復号情報に含まれる認証情報と前記認証情報共有手段によって共有された認証情報とが一致したならば、前記遊技台に対する遊技媒体の貸出指示を許可する許可手段とを備えたことを特徴とする。
【００１２】
また、本発明は、上記の発明において、前記認証依頼手段は、前記遊技台と接続した場合、入金を受け付けた場合、遊技媒体の貸し出し操作を受け付けた場合あるいは異常状態から復帰した旨を前記遊技台から受けた場合に、前記認証情報共有手段によって共有された認証情報を含んだ認証依頼を前記認証鍵記憶手段に記憶された認証鍵を用いて暗号化したうえで前記遊技台に対して送信することを特徴とする。
【００１３】
また、本発明は、上記の発明において、前記認証依頼手段は、前記遊技台に対する遊技媒体の貸出指示ごとに、前記認証鍵記憶手段に記憶された認証鍵を用いて暗号化した前記認証依頼を前記遊技台に対して送信し、前記許可手段は、前記遊技台に対する遊技媒体の貸出指示が行われたならば、前記遊技台に対する遊技媒体の貸出指示を禁止することを特徴とする。
【００１４】
また、本発明は、上記の発明において、前記復号情報に含まれる認証情報が、前記認証情報共有手段によって共有された認証情報と一致しなかったならば、所定の異常対応指示を行う異常対応指示手段をさらに備えたことを特徴とする。
【００１５】
また、本発明は、上記の発明において、前記認証情報共有手段によって共有された認証情報を含んだ貸出指示を前記認証鍵記憶手段に記憶された認証鍵を用いて暗号化したうえで前記遊技台に対して送信する貸出指示手段をさらに備えたことを特徴とする。
【００１６】
また、本発明は、遊技台および前記遊技台に対応して設けられる台間装置を有する遊技媒体貸出システムであって、前記台間装置は、前記遊技台に記憶された認証鍵と対応する認証鍵を記憶する認証鍵記憶手段と、所定の認証情報を前記遊技台との間で共有する認証情報共有手段と、前記認証情報共有手段によって共有された認証情報を含んだ認証依頼を前記認証鍵記憶手段に記憶された認証鍵を用いて暗号化したうえで前記遊技台に対して送信する認証依頼手段と、暗号化された情報を前記遊技台から受け取った場合に、前記暗号化された情報を前記認証鍵記憶手段に記憶された認証鍵を用いて復号することによって得られた復号情報に認証情報が含まれており、かつ、前記復号情報に含まれる認証情報と前記認証情報共有手段によって共有された認証情報とが一致したならば、前記遊技台に対する遊技媒体の貸出指示を許可する許可手段とを備え、前記遊技台は、前記台間装置が記憶する認証鍵と対応する認証鍵を記憶する記憶手段と、所定の認証情報を前記台間装置との間で共有する共有手段と、暗号化された認証依頼を前記台間装置から受け取った場合に、前記記憶手段に記憶された認証鍵を用いて復号された前記認証依頼に含まれる認証情報が、前記共有手段によって共有された認証情報と一致したならば、前記共有手段によって共有された認証情報を含んだ認証依頼を前記記憶手段に記憶された認証鍵を用いて暗号化したうえで前記台間装置に対して送信する依頼手段とを備えたことを特徴とする。
【発明の効果】
【００１７】
本発明によれば、遊技台に記憶された認証鍵と対応する認証鍵を記憶し、所定の認証情報を遊技台との間で共有し、遊技台との間で共有された認証情報を含んだ認証依頼を認証鍵を用いて暗号化したうえで遊技台に対して送信し、暗号化された情報を遊技台から受け取った場合に、暗号化された情報を認証鍵を用いて復号することによって得られた復号情報に認証情報が含まれており、かつ、復号情報に含まれる認証情報と遊技台との間で共有された認証情報とが一致したならば、遊技台に対する遊技媒体の貸出指示を許可することとしたので、遊技台に対して不正に貸出指示を行って遊技媒体を獲得するゴト行為に対するセキュリティ性を高めることができるという効果を奏する。
【００１８】
また、本発明によれば、認証依頼手段は、遊技台と接続した場合、入金を受け付けた場合、遊技媒体の貸し出し操作を受け付けた場合あるいは異常状態から復帰した旨を遊技台から受けた場合に、認証情報共有手段によって共有された認証情報を含んだ認証依頼を認証鍵記憶手段に記憶された認証鍵を用いて暗号化したうえで遊技台に対して送信することとしたので、台間装置および遊技台間で共有する認証情報が様々なタイミングで更新される結果、傍受した認証依頼を用いたゴト行為を困難化することができるという効果を奏する。
【００１９】
また、本発明によれば、遊技台に対する遊技媒体の貸出指示ごとに、認証鍵を用いて暗号化した認証依頼を遊技台に対して送信し、遊技台に対する遊技媒体の貸出指示が行われたならば、遊技台に対する遊技媒体の貸出指示を禁止することとしたので、遊技台に対する遊技媒体の貸出指示が許可される期間を必要最小限に留めることができるという効果を奏する。
【００２０】
また、本発明によれば、復号情報に含まれる認証情報と遊技台との間で共有された認証情報とが一致しなかったならば、所定の異常対応指示を行うこととしたので、たとえば、遊技店の従業員に対し、ゴト行為が行われているおそれがある旨を迅速に報知することができるという効果を奏する。
【００２１】
また、本発明によれば、遊技台との間で共有された認証情報を含んだ貸出指示を認証鍵を用いて暗号化したうえで遊技台に対して送信することとしたので、遊技台が、貸出指示の送信元が確かに台間装置であることを確認したうえで貸出処理を行うことができるという効果を奏する。
【図面の簡単な説明】
【００２２】
【図１】図１は、本発明に係る遊技媒体貸出手法の概要を示す図である。
【図２】図２は、本実施例に係る台間装置が接続されるネットワーク環境を示す図である。
【図３】図３は、台間装置および遊技台の構成を示すブロック図である。
【図４】図４は、台間装置の外観図である。
【図５】図５は、台間装置と遊技台との間で行われる認証情報の共有処理および削除処理を示すシーケンス図である。
【図６】図６は、台間装置と遊技台との間で行われる相互認証処理を示すシーケンス図である。
【図７】図７は、認証情報の共有処理および相互認証処理間における実行タイミングの関係を示す図である。
【図８】図８は、認証情報の共有処理および相互認証処理の実行タイミングのバリエーションを示す図である。
【図９】図９は、貸出ボタン押下時に共有処理を行った後、貸出指示ごとに相互認証処理を行う場合を示すシーケンス図である。
【図１０】図１０は、貸出指示ごとに共有処理および相互認証処理を行う場合および貸出指示を暗号化する場合を示すシーケンス図である。
【発明を実施するための形態】
【００２３】
以下に添付図面を参照して、本発明に係る台間装置および遊技媒体貸出システムの実施例を詳細に説明する。なお、以下では、台間装置が併設される遊技台がパチンコ機である場合について説明することとする。
【００２４】
まず、実施例の詳細な説明に先立って、本発明に係る遊技媒体貸出手法の概要について図１を用いて説明する。図１は、本発明に係る遊技媒体貸出手法の概要を示す図である。同図に示すように、本発明に係る遊技媒体貸出手法では、台間装置および遊技台間で相互認証を行い、相互認証の結果に応じて遊技台への貸出指示を許可するか否かを決定する点に主たる特徴がある。
【００２５】
具体的には、図１に示したように、台間装置および遊技台は、互いに対応する認証鍵を予め記憶している（図１の（１），（１’）参照）。ここで、「互いに対応する」とは、一方の認証鍵によって暗号化された情報を他方の認証鍵によって復号でき、その逆も可能であることを指す。
【００２６】
また、台間装置および遊技台は、相互認証に用いる認証情報を共有する処理を行う（図１の（２）参照）。ここで、認証情報とは、乱数やパスワード、パスフレーズ等を指す。具体的には、台間装置は、認証情報を生成し、生成した認証情報を自装置に記憶するとともに遊技台へ送信する。また、遊技台は、台間装置から受信した認証情報を自装置に記憶する。これによって、台間装置および遊技台は、認証情報を共有した状態となる。
【００２７】
また、台間装置および遊技台は、認証鍵および認証情報を用いて相互認証処理を行う（図１の（３）参照）。まず、台間装置は、自装置を認証すべき旨の認証依頼を遊技台へ送信して、遊技台に対して自装置を認証させる。具体的には、台間装置は、認証情報を含んだ認証依頼を認証鍵を用いて暗号化し、暗号化した認証依頼を遊技台へ送信する。
【００２８】
遊技台は、暗号化された認証依頼を受信したならば、受信した認証依頼を認証鍵を用いて復号し、復号した認証依頼から認証情報を取り出す。そして、遊技台は、取り出した認証情報と自装置に記憶された認証情報とを比較し、両者が一致したならば台間装置を認証する。なお、遊技台は、台間装置を認証すると、遊技媒体の貸出処理の実行が許可な状態となる。
【００２９】
また、遊技台は、台間装置を認証すると、認証依頼を台間装置へ送信して、台間装置に対して自装置を認証させる。具体的には、遊技台は、自装置に記憶された認証情報を含んだ認証依頼を認証鍵を用いて暗号化し、暗号化した認証依頼を台間装置に対して送信する。
【００３０】
台間装置は、暗号化された認証依頼を受信したならば、受信した認証依頼を認証鍵を用いて復号し、復号した認証依頼から認証情報を取り出す。そして、台間装置は、取り出した認証情報と自装置に記憶された認証情報とを比較し、両者が一致したならば遊技台を認証する。
【００３１】
そして、台間装置および遊技台が相互に認証したならば（図１の（４）参照）、台間装置は、遊技台に対する遊技媒体の貸出指示を許可する（図１の（５）参照）。すなわち、台間装置は、遊技客によって遊技媒体の貸出ボタンが押下された場合に、遊技台に対して遊技媒体の貸出指示を行うことが可能な状態となる。
【００３２】
このように、台間装置および遊技台が相互に認証してはじめて、遊技台による遊技媒体の貸出処理の実行が可能となるとともに、台間装置による遊技台への貸出指示の送信が可能となる。
【００３３】
なお、遊技台は、台間装置を認証していない場合には、遊技媒体の貸出処理の実行が許可されないので、ぶら下がり基板から不正な貸出指示を受けたとしても、遊技媒体の貸出処理を行わない。また、台間装置は、遊技台を認証していない場合には、遊技台に対する遊技媒体の貸出指示が許可されないので、ぶら下がり基板からの不正な指示を受けたとしても、遊技台への貸出指示を行わない。
【００３４】
なお、遊技台または台間装置のいずれかの認証が失敗した場合には、異常対応処理が行われる。たとえば、台間装置は、認証依頼から取り出した認証情報が自装置に記憶された認証情報と異なる場合には、異常対応処理として、異常が発生した旨を所定の表示部に対して表示する。
【００３５】
このように、本発明に係る遊技媒体貸出手法では、台間装置および遊技台間で相互認証を行い、相互認証が成功した場合に遊技台への貸出指示を行うこととしたので、ぶら下がり基板を用いた不正行為を防止することができる。したがって、遊技台に対して不正に貸出指示を行って遊技媒体を獲得するゴト行為に対するセキュリティ性を高めることができる。
【００３６】
ところで、台間装置および遊技台間でやり取りされる認証依頼は、ぶら下がり基板によって傍受される可能性がある。そして、このような場合、ぶら下がり基板は、傍受した認証依頼を用いて台間装置や遊技台に対して相互認証を行わせたうえで、遊技台に対して不正に貸出処理を行わせるおそれがある。たとえば、ぶら下がり基板は、傍受した認証依頼を台間装置に送信し、台間装置に対して遊技台の認証を行わせるとともに遊技台への貸出指示を行わせることが考えられる。
【００３７】
そこで、本発明にかかる遊技媒体貸出手法では、認証情報の共有処理や相互認証処理を様々なタイミングで行い、台間装置および遊技台間で共有する認証情報を頻繁に更新することによって、かかるゴト行為を困難化することとしている。
【００３８】
たとえば、認証情報の共有処理によって台間装置および遊技台間で共有されている認証情報が更新された場合、ぶら下がり基板によって傍受された認証依頼に含まれる認証情報は、台間装置および遊技台間であらたに共有された認証情報と一致しなくなる。この結果、ぶら下がり基板は、傍受した認証依頼を台間装置や遊技台に対して送信しても貸出指示や貸出処理が許可されないため、遊技台に対して不正に貸出処理を行わせることができない。
【００３９】
このように、認証情報の共有処理や相互認証処理を様々なタイミングで行い、台間装置および遊技台間で共有する認証情報を頻繁に更新することによって、傍受した認証依頼を用いたゴト行為を困難化することができる。なお、認証情報の共有処理および相互認証処理の具体的な実行タイミングについては、後述する。
【００４０】
以下では、図１を用いて説明した遊技媒体貸出手法を適用した台間装置についての実施例を詳細に説明する。
【実施例】
【００４１】
図２は、本実施例に係る台間装置１０が接続されるネットワーク環境を示す図である。同図に示すように、遊技台１００ごとに設けられる台間装置１０は、店舗内ＬＡＮ（Local  Area  Network）２０などのネットワーク経由で、管理装置２００、島コントローラ３００、精算機４００、景品管理機５００、カード処理機６００、景品払出機７００といった各機器と接続されている。なお、遊技媒体貸出システムは、台間装置１０と、遊技台１００とを含むものとする。
【００４２】
また、島コントローラ３００は、台間装置１０および遊技台１００が設置される遊技島ごとに設けられる中継装置であり、管理装置２００／台間装置１０間、あるいは、管理装置２００／遊技台１００間の通信データを中継する。
【００４３】
ここで、台間装置１０がカードを返却した場合、他の遊技台１００で遊技を継続する意志がない遊技客は、カードを精算機４００へ挿入することで、プリペイド価値（プリペイド残額）に応じた貨幣を受け取る。
【００４４】
また、遊技客は、景品交換コーナーへカードを持参し、カード処理機６００にカードをかざしたり挿入したりする。そして、遊技店の従業員が景品管理機５００や景品払出機７００を操作することで、遊技客は、持玉価値に応じた景品を受け取ることになる。
【００４５】
なお、同図に示すように、管理装置２００は、カード（記録媒体）に関連付けられる価値を管理する記録媒体管理ＤＢ（データベース）２０１を有している。そして、記録媒体管理ＤＢ２０１は、プリペイド価値を管理するプリペイドカードＤＢ（データベース）２０１ａと、遊技客が獲得した遊技媒体を換金したり景品交換したりすることなく遊技店へ預けておくことを指す貯玉を管理する貯玉ＤＢ（データベース）２０１ｂと、遊技客が獲得した持玉価値を管理する持玉ＤＢ（データベース）２０１ｃとから構成される。
【００４６】
たとえば、台間装置１０が返却するカードに価値付けられる持玉価値やプリペイド価値は、管理装置２００が管理するプリペイドカードＤＢ２０１ａや、持玉ＤＢ２０１ｃによっても管理されている。
【００４７】
なお、貯玉ＤＢ（データベース）２０１ｂは、遊技店の会員に対して配布される会員カードに付与された貯玉サービスを行うためのデータベースであり、一般カードの場合には、プリペイドカードＤＢ（データベース）２０１ａおよび持玉ＤＢ（データベース）２０１ｃのみが関連する。
【００４８】
ここで、貯玉ＤＢ（データベース）２０１ｂについては、会員用の管理装置を別途設けることとしたうえで、かかる会員用の管理装置が貯玉ＤＢ（データベース）２０１ｂを管理することとしてもよい。
【００４９】
次に、本実施例に係る台間装置１０および遊技台１００の構成について図３を用いて説明する。図３は、台間装置１０および遊技台１００の構成を示すブロック図である。なお、同図には、台間装置１０および遊技台１００の特徴を説明するために必要な構成要素のみを示しており、一般的な構成要素についての記載を省略している。
【００５０】
同図に示すように、台間装置１０は、通信インタフェース１１と、表示部１２と、記憶部１３と、制御部１４とを備えている。また、記憶部１３は、認証情報１３ａと、認証鍵１３ｂとを記憶しており、制御部１４は、暗号化・復号部１４ａと、認証情報生成部１４ｂと、タイミング検知部１４ｃと、認証依頼部１４ｄと、遊技台認証部１４ｅと、許可部１４ｆと、貸出指示部１４ｇとをさらに備えている。
【００５１】
一方、遊技台１００は、通信インタフェース１０１と、表示部１０２と、貸出部１０３と、記憶部１０４と、制御部１０５とを備えている。また、記憶部１０４は、認証情報１０４ａと、認証鍵１０４ｂとを記憶しており、制御部１０５は、暗号化・復号部１０５ａと、認証情報登録部１０５ｂと、台間装置認証部１０５ｃと、認証依頼部１０５ｄと、許可部１０５ｅと、貸出実行部１０５ｆとをさらに備えている。
【００５２】
以下では、まず、台間装置１０の各構成要素について説明する。通信インタフェース１１は、遊技台１００との間で通信データの送受信を行う通信デバイスである。また、表示部１２は、７セグメントディスプレイ（いわゆる、７セグ）、ドットマトリクスディスプレイといった表示デバイスである。
【００５３】
ここで、図３に示した台間装置１０の外観構成について図４を用いて説明しておく。図４は、台間装置１０の外観図である。なお、同図には、台間装置１０が併設された遊技台１００を破線で示している。また、同図では、紙幣のみを受け付ける台間装置１０を示しているが、硬貨受け付け用のユニットを備えることとしてもよい。
【００５４】
図４に示すように、台間装置１０は、台間装置１０の装置状態を所定色のランプの点灯あるいは点滅で表示する状態表示部５１と、遊技媒体貸し出しのための各種紙幣を受け付ける紙幣挿入部５２とを備えている。また、台間装置１０は、遊技店の従業員が携帯するリモコン（携帯端末装置）からの指示を受け付けるリモコン受光部５３と、ディスプレイなどの表示部およびテンキー、カードの返却ボタンといった操作部を含んだ表示・操作部５４とを備えている。
【００５５】
また、台間装置１０は、持玉等の遊技媒体を払い出すノズルを備えた持玉払出部５５と、一般カードや会員カードといったカードを受け付けるとともに持玉価値やプリペイド価値が関連付けられたカードを返却するカード挿入部５６と、遊技客が獲得した遊技媒体（持玉）を計数する計数部５７と、持玉（獲得玉）を貯留する玉貯留部５８とを備えている。ここで、遊技台１００の下皿から落下した遊技媒体は、玉貯留部５８を経て計数部５７へと導かれることになる。
【００５６】
ここで、台間装置１０には、計数部５７で計数された遊技媒体（持玉）の再利用を行うための「持玉払出ボタン」が設けられているものとする。そして、この「持玉払出ボタン」の設置場所については特に制限はない。たとえば、「持玉払出ボタン」は、台間装置１０の表示・操作部５４、計数部５７などに設けられる。
【００５７】
なお、遊技台１００には、カードの残額や、貸し出された遊技媒体の数などを表示する表示部１００ａと、遊技媒体の貸し出しを指示する貸出ボタンやカード返却を指示する返却ボタンといった操作ボタン１００ｂとが設けられる。
【００５８】
台間装置１０は、同図に示す遊技台１００の下皿から落下した持玉（獲得玉）を玉貯留部５８でいったん貯留し、貯留した持玉（獲得玉）を計数部５７へ導く。そして、計数部５７で持玉（獲得玉）の数量を計数する。
【００５９】
具体的には、この計数部５７は、持玉（獲得玉）の計数結果を加算していくことで持玉（獲得玉）の総数を算出する。なお、本実施例では、計数部５７が持玉（獲得玉）の総数を算出する機能を備える場合について説明するが、総数算出を行う処理部を、計数部５７と独立して設けることとしてもよい。ここで、計数後の遊技媒体は、遊技島内に形成される図示しない遊技媒体回収経路へ排出される。
【００６０】
そして、台間装置１０に持玉が記憶された状態で、遊技客が持玉払出ボタンを押下した場合には、持玉（獲得玉）を持玉払出部５５経由で遊技台１００へ投出する。なお、持玉払出部５５は、紙幣挿入部５２へ紙幣が挿入されたり、カード挿入部５６へプリペイド価値が関連付けられたカードが挿入されたりして、遊技台１００の貸し出しボタンが押下された場合の払い出しを併せて行う場合もある。なお、持玉（獲得玉）の払い出しを持玉払出部５５経由で行うのではなく、貸玉と同様に遊技台１００から行うこととしてもよい。
【００６１】
なお、図４には、計数部５７が台間装置１０の下部に設けられている場合について示したが、計数部５７を、台間装置１０や遊技台１００が設置される遊技島の膳板を貫通させた位置（膳板の下方）に設けることとしてもよい。また、計数部５７を台間装置１０とは独立した装置として構成することとしてもよい。
【００６２】
図３の説明に戻り、記憶部１３について説明する。記憶部１３は、不揮発性メモリやハードディスクドライブといった記憶デバイスであり、認証情報１３ａおよび認証鍵１３ｂを記憶する。認証情報１３ａは、台間装置１０および遊技台１００間での相互認証に用いられる情報であり、たとえば、乱数を用いることができる。なお、認証情報１３ａは、乱数に限らず、パスワードやパスフレーズ等であってもよい。
【００６３】
認証鍵１３ｂは、暗号化や復号に用いられるパラメータである。具体的には、認証鍵１３ｂは、遊技台１００に対して送信する情報を暗号化したり遊技台１００から受信した情報を復号したりする場合に暗号化・復号部１４ａによって用いられる。
【００６４】
ここで、認証鍵１３ｂは、遊技台１００に記憶された認証鍵１０４ｂと対応している。すなわち、認証鍵１３ｂを用いて暗号化された情報は、認証鍵１０４ｂを用いて復号することができる。同様に、認証鍵１０４ｂを用いて暗号化された情報は、認証鍵１３ｂを用いて復号することができる。
【００６５】
制御部１４は、暗号化および復号、認証情報の生成および削除、認証依頼の生成、遊技台の認証、遊技媒体の貸出指示の許可、遊技媒体の貸出指示といった処理を行う処理部である。暗号化・復号部１４ａは、所定の情報を認証鍵１３ｂを用いて暗号化したうえで遊技台１００へ送信するとともに、遊技台１００から受信した暗号化された情報を認証鍵１３ｂを用いて復号する処理部である。
【００６６】
たとえば、暗号化・復号部１４ａは、認証依頼部１４ｄから受け取った認証依頼を認証鍵１３ｂを用いて暗号化し、暗号化した認証依頼を通信インタフェース１１経由で遊技台１００へ送信する。また、暗号化・復号部１４ａは、認証鍵１３ｂを用いて復号した情報が、遊技台１００からの認証依頼である場合には、かかる認証依頼を遊技台認証部１４ｅへ渡す。
【００６７】
認証情報生成部１４ｂは、タイミング検知部１４ｃからの指示に基づき、認証情報を生成する処理部である。また、認証情報生成部１４ｂは、生成した認証情報を記憶部１３に記憶するとともに暗号化・復号部１４ａへ渡す。また、認証情報生成部１４ｂは、認証情報を生成すると、認証依頼部１４ｄに対して認証依頼を生成すべき旨を通知する。
【００６８】
なお、認証情報生成部１４ｂは、認証情報１３ａを更新する場合には、認証情報の生成に先立って、認証情報の削除処理を行う。具体的には、認証情報生成部１４ｂは、記憶部１３に記憶された認証情報１３ａを削除するとともに、遊技台１００に対する認証情報削除指示を生成して暗号化・復号部１４ａへ渡す。
【００６９】
タイミング検知部１４ｃは、認証情報の更新タイミングを検知した場合に、認証情報生成部１４ｂに対して認証情報の生成を指示する処理部である。たとえば、タイミング検知部１４ｃは、台間装置１０および遊技台１００間が接続されたこと、入金を検知したこと、認証情報を生成してから一定時間が経過したこと、貸出ボタンが押下されたことあるいは異常状態から復帰したこと等を検知した場合に、認証情報生成部１４ｂに対して認証情報の生成を指示する。
【００７０】
認証依頼部１４ｄは、認証情報生成部１４ｂからの指示に基づき、自装置の認証を依頼する認証依頼を生成する処理部である。具体的には、認証依頼部１４ｄは、記憶部１３から認証情報１３ａを取り出し、取り出した認証情報１３ａを含んだ認証依頼を生成する。そして、認証依頼部１４ｄは、生成した認証依頼を暗号化・復号部１４ａへ渡す。
【００７１】
遊技台認証部１４ｅは、遊技台１００から認証依頼を受け取った場合に、遊技台１００の認証処理を行う処理部である。ここで、遊技台１００から送信される認証依頼は、認証情報１０４ａを含んでおり、認証鍵１０４ｂによって暗号化された状態で台間装置１０へ送信される。
【００７２】
遊技台認証部１４ｅは、暗号化・復号部１４ａによって復号された認証依頼を受け取ると、復号された認証依頼から認証情報１０４ａを取り出し、取り出した認証情報１０４ａと記憶部１３に記憶された認証情報１３ａとを対比する。そして、遊技台認証部１４ｅは、認証依頼から取り出した認証情報１０４ａと記憶部１３に記憶された認証情報１３ａとが一致したならば、許可部１４ｆに対して遊技台１００を認証した旨を通知する。
【００７３】
一方、遊技台認証部１４ｅは、認証依頼から取り出した認証情報１０４ａと記憶部１３に記憶された認証情報１３ａとが異なる場合には、異常対応処理を行う。具体的には、遊技台認証部１４ｅは、異常対応処理として、表示部１２（たとえば、図４に示した表示・操作部５４）に対して異常が発生した旨の表示を行わせる。なお、遊技台認証部１４ｅは、異常対応処理として、自装置をエラーダウンさせてもよい。
【００７４】
許可部１４ｆは、遊技台認証部１４ｅから遊技台１００を認証した旨の通知を受け取ると、遊技台１００への貸出指示を許可する旨の許可通知を、貸出指示部１４ｇへ渡す処理を行う処理部である。
【００７５】
貸出指示部１４ｇは、遊技客によって遊技台１００の貸出ボタンが押下された場合に、許可部１４ｆから許可通知を受け取っているならば、通信インタフェース１１経由で遊技台１００に対して遊技媒体の貸出指示を送信する処理部である。一方、貸出指示部１４ｇが許可部１４ｆから許可通知を受け取っていない場合には、遊技台１００への貸出指示を行わない。なお、遊技媒体の貸出指示は、暗号化・復号部１４ａによって暗号化されることなく遊技台１００へ送信される。
【００７６】
また、貸出指示部１４ｇは、貸出指示数を含んだ貸出指示を遊技台１００へ送信するものとする。ここで、貸出指示数とは、遊技台１００が貸し出すべき遊技媒体の数のことを指す。具体的には、貸出指示部１４ｇは、規定値（たとえば、２４玉）を貸出指示数とした貸出指示を生成する。この規定値は、記憶部１３の図示しない記憶領域に記憶されている。
【００７７】
次に、遊技台１００の各構成要素について説明する。通信インタフェース１０１は、台間装置１０との間で通信データの送受信を行う通信デバイスである。表示部１０２は、７セグメントディスプレイ（いわゆる、７セグ）、ドットマトリクスディスプレイといった表示デバイスである。
【００７８】
貸出部１０３は、貸出実行部１０５ｆからの指示に従って貸し玉を払い出す機構である。なお、この貸出部１０３は、遊技台における、いわゆる賞球を払い出す処理を併せて行うものとする。
【００７９】
記憶部１０４は、不揮発性メモリやハードディスクドライブといった記憶デバイスであり、認証情報１０４ａおよび認証鍵１０４ｂを記憶する。認証情報１０４ａは、認証情報１３ａと同様、台間装置１０および遊技台１００間で相互認証を行う場合に用いられる情報であり、たとえば、乱数である。
【００８０】
認証鍵１０４ｂは、台間装置１０に記憶された認証鍵１３ｂと対応する認証鍵である。具体的には、認証鍵１０４ｂは、台間装置１０に対して送信する情報を暗号化したり台間装置１０から受信した情報を復号したりする場合に暗号化・復号部１０５ａによって用いられる。
【００８１】
制御部１０５は、暗号化および復号、認証情報の登録、台間装置１０の認証、認証完了通知の生成、遊技媒体の貸出処理の許可、遊技媒体の貸出処理といった処理を行う処理部である。
【００８２】
暗号化・復号部１０５ａは、所定の情報を認証鍵１０４ｂを用いて暗号化したうえで台間装置１０へ送信するとともに、台間装置１０から受信した暗号化情報を認証鍵１０４ｂを用いて復号する処理部である。
【００８３】
たとえば、暗号化・復号部１０５ａは、認証依頼部１０５ｄから受け取った認証依頼を認証鍵１０４ｂを用いて暗号化し、暗号化した認証依頼を通信インタフェース１１経由で台間装置１０へ送信する。また、暗号化・復号部１４ａは、認証鍵１３ｂを用いて復号した情報が、台間装置１０からの認証依頼である場合には、かかる認証依頼を台間装置認証部１０５ｃへ渡す。
【００８４】
認証情報登録部１０５ｂは、台間装置１０から受信した認証情報を記憶部１０４へ記憶させる処理部である。なお、認証情報登録部１０５ｂは、台間装置１０から認証情報削除指示を受けた場合には、記憶部１０４に記憶された認証情報１０４ａを削除する。
【００８５】
台間装置認証部１０５ｃは、台間装置１０から認証依頼を受け付けた場合に、台間装置１０の認証処理を行う処理部である。具体的には、台間装置認証部１０５ｃは、暗号化・復号部１０５ａによって復号された認証依頼を受け取ると、受け取った認証依頼から認証情報１３ａを取り出し、取り出した認証情報１３ａと記憶部１０４に記憶された認証情報１０４ａとを対比する。
【００８６】
そして、台間装置認証部１０５ｃは、認証依頼から取り出した認証情報１３ａと記憶部１０４に記憶された認証情報１０４ａとが一致したならば、遊技台１００を認証した旨を認証依頼部１０５ｄおよび許可部１０５ｅへ通知する。
【００８７】
一方、台間装置認証部１０５ｃは、認証依頼から取り出した認証情報１３ａと記憶部１０４に記憶された認証情報１０４ａとが異なる場合には、異常対応処理を行う。具体的には、台間装置認証部１０５ｃは、異常対応処理として、表示部１０２（たとえば、図４に示した表示部１００ａ）に対して異常が発生した旨の表示を行わせる。
【００８８】
認証依頼部１０５ｄは、台間装置１０を認証した旨の通知を台間装置認証部１０５ｃから受けた場合に、記憶部１０４に記憶された認証情報１０４ａを含んだ認証依頼を生成する処理部である。また、認証依頼部１０５ｄは、生成した認証依頼を暗号化・復号部１０５ａへ渡す。
【００８９】
許可部１０５ｅは、台間装置認証部１０５ｃから台間装置１０を認証した旨の通知を受け取ると、遊技媒体の貸出処理の実行を許可する旨の許可通知を貸出実行部１０５ｆへ渡す処理部である。
【００９０】
貸出実行部１０５ｆは、遊技媒体の貸出指示を受けた場合に、許可部１０５ｅから許可通知を受け取っているならば、遊技媒体の貸出処理を行う処理部である。具体的には、貸出実行部１０５ｆは、貸出指示から貸出指示数を取得し、取得した貸出指示数と同数の遊技媒体の貸し出しを貸出部１０３に実行させる。
【００９１】
また、貸出実行部１０５ｆは、許可部１０５ｅから許可通知を受け取っていない場合には、貸出指示を受け取ったとしても貸出処理を実行しない。また、貸出実行部１０５ｆは、貸出処理を終えると、貸出完了通知を台間装置１０に対して送信する。なお、貸出完了通知は、暗号化・復号部１０５ａによって暗号化されることなく台間装置１０へ送信される。
【００９２】
次に、台間装置１０と遊技台１００との間で行われる認証情報の共有処理および削除処理について図５を用いて説明する。図５は、台間装置１０と遊技台１００との間で行われる認証情報の共有処理および削除処理を示すシーケンス図である。
【００９３】
まず、同図の（Ａ）に示す認証情報の共有処理について説明する。図５の（Ａ）に示すように、台間装置１０では、認証情報生成部１４ｂが、認証情報１３ａを生成し（ステップＳ１０１）、生成した認証情報１３ａを記憶部１３に記憶する（ステップＳ１０２）。また、台間装置１０では、暗号化・復号部１４ａが、生成された認証情報１３ａを認証鍵１３ｂを用いて暗号化したうえで遊技台１００へ送信する（ステップＳ１０３）。
【００９４】
つづいて、遊技台１００では、暗号化された認証情報を受信すると、暗号化・復号部１０５ａが、暗号化された認証情報を認証鍵１０４ｂを用いて復号する（ステップＳ１０４）。また、遊技台１００では、認証情報登録部１０５ｂが、復号して得られた認証情報１０４ａを記憶部１０４に記憶する（ステップＳ１０５）。
【００９５】
つづいて、遊技台１００では、認証情報登録部１０５ｂが、認証情報１０４ａを登録した旨の登録完了通知を生成し、暗号化・復号部１０５ａが、生成された登録完了通知を認証鍵１０４ｂを用いて暗号化したうえで台間装置１０へ送信する（ステップＳ１０６）。これにより、台間装置１０および遊技台１００は、同一の認証情報１３ａ，１０４ａを共有した状態となる。
【００９６】
次に、図５の（Ｂ）に示す認証情報の削除処理について説明する。なお、認証情報の削除処理は、基本的には、台間装置１０および遊技台１００間で共有されている認証情報を更新する場合に、認証情報の共有処理に先立って行われるものとするが、認証情報の削除処理を任意のタイミングで行うこともできる。
【００９７】
同図の（Ｂ）に示すように、台間装置１０では、認証情報生成部１４ｂが、記憶部１３に記憶された認証情報１３ａを削除する（ステップＳ２０１）。また、台間装置１０では、認証情報生成部１４ｂが、認証情報１０４ａを削除すべき旨の認証情報削除指示を生成し、暗号化・復号部１４ａが、生成された認証情報削除指示を認証鍵１３ｂを用いて暗号化したうえで遊技台１００へ送信する（ステップＳ２０２）。
【００９８】
つづいて、遊技台１００では、暗号化・復号部１０５ａが、暗号化された認証情報削除指示を復号する（ステップＳ２０３）。また、遊技台１００では、暗号化・復号部１０５ａから認証情報削除指示を受け取った認証情報登録部１０５ｂが、記憶部１０４に記憶された認証情報１０４ａを削除する（ステップＳ２０４）。
【００９９】
また、遊技台１００では、認証情報登録部１０５ｂが、認証情報１０４ａを削除した旨の認証情報削除完了通知を生成し、暗号化・復号部１０５ａが、生成された認証情報削除完了通知を認証鍵１０４ｂを用いて暗号化したうえで台間装置１０へ送信する（ステップＳ２０５）。これにより、台間装置１０および遊技台１００で共有されていた認証情報１３ａ，１０４ａは、削除される。
【０１００】
次に、台間装置１０および遊技台１００間で行われる相互認証処理について図６を用いて説明する。図６は、台間装置１０と遊技台１００との間で行われる相互認証処理を示すシーケンス図である。
【０１０１】
同図に示すように、台間装置１０では、認証依頼部１４ｄが、認証情報１３ａを含んだ認証依頼を生成し、暗号化・復号部１４ａが、生成された認証依頼を認証鍵１３ｂを用いて暗号化したうえで遊技台１００へ送信する（ステップＳ３０１）。
【０１０２】
つづいて、遊技台１００では、暗号化・復号部１０５ａが、暗号化された認証依頼を認証鍵１０４ｂを用いて復号する（ステップＳ３０２）。また、遊技台１００では、台間装置認証部１０５ｃが、復号された認証依頼から認証情報１３ａを取り出し、取り出した認証情報１３ａと記憶部１０４に記憶された認証情報１０４ａとを対比する。
【０１０３】
そして、遊技台１００では、認証依頼から取り出した認証情報１３ａと記憶部１０４に記憶された認証情報１０４ａとが一致した場合には（ステップＳ３０３）、台間装置認証部１０５ｃが、台間装置１０を認証した旨を認証依頼部１０５ｄおよび許可部１０５ｅへ通知する。
【０１０４】
そして、遊技台１００では、台間装置１０を認証した旨の通知を受けた認証依頼部１０５ｄが、認証情報１０４ａを含んだ認証依頼を生成し、暗号化・復号部１０５ａが、生成された認証依頼を認証鍵１０４ｂを用いて暗号化したうえで台間装置１０へ送信する（ステップＳ３０４）。
【０１０５】
また、遊技台１００では、台間装置１０を認証した旨の通知を受けた許可部１０５ｅが、遊技媒体の貸出処理を許可する旨の許可通知を貸出実行部１０５ｆに対して送信する（ステップＳ３０５）。
【０１０６】
一方、台間装置１０では、暗号化・復号部１４ａが、暗号化された認証依頼を認証鍵１３ｂを用いて復号する（ステップＳ３０６）。また、台間装置１０では、遊技台認証部１４ｅが、復号された認証依頼から認証情報１０４ａを取り出し、取り出した認証情報１０４ａと記憶部１３に記憶された認証情報１３ａとを対比する。
【０１０７】
そして、台間装置１０では、認証依頼から取り出した認証情報１０４ａと記憶部１３に記憶された認証情報１３ａとが一致した場合には（ステップＳ３０７）、遊技台認証部１４ｅが、遊技台１００を認証した旨を許可部１４ｆに通知する。
【０１０８】
また、台間装置１０では、遊技台１００を認証した旨の通知を受けた許可部１４ｆが、貸出指示部１４ｇに対して許可通知を送信する（ステップＳ３０８）。このように、台間装置１０および遊技台１００は、認証鍵１３ｂ，１０４ｂおよび認証情報１３ａ，１０４ａを用いて相互認証を行うことによって、それぞれ遊技台１００への貸出指示および貸出指示に基づく貸出処理が可能な状態となる。
【０１０９】
次に、認証情報の共有処理および相互認証処理の実行タイミングについて説明する。図７は、認証情報の共有処理および相互認証処理間における実行タイミングの関係を示す図である。
【０１１０】
図７の（１）に示すように、相互認証処理は、基本的には、共有処理と同様のタイミングで行われる。すなわち、共有処理の実行後に相互認証処理を実行する手順が繰り返される。ここで、認証情報の共有処理および相互認証処理の実行タイミングについて図８を用いて説明しておく。図８は、認証情報の共有処理および相互認証処理の実行タイミングのバリエーションを示す図である。
【０１１１】
図８に示すように、共有処理および相互認証処理は、定期的なタイミング（Ｔ−１，Ｔ−２）、遊技客からの操作に応じた任意のタイミング（Ｔ−３，Ｔ−４，Ｔ−４Ａ，Ｔ−４Ｂ，Ｔ−５）あるいは異常状態の発生に起因するタイミング（Ｔ−６）で行われる。
【０１１２】
ここで、定期的なタイミングとしては、台間装置１０および遊技台１００間の接続時（Ｔ−１）、待機中常時（Ｔ−２）がある。接続時（Ｔ−１）とは、たとえば、台間装置１０および遊技台１００への電源投入、台間装置１０および遊技台１００間のコネクタ接続、台間装置１０または遊技台１００のリセット等によって台間装置１０および遊技台１００間が接続された時点で、共有処理および相互認証処理を行う場合を示す。
【０１１３】
たとえば、共有処理および相互認証処理を接続時に行う場合（Ｔ−１）、共有処理は、タイミング検知部１４ｃが、台間装置１０および遊技台１００間が接続されたことを検知し、認証情報生成部１４ｂに対して認証情報を生成すべき旨を通知することによって開始される。また、相互認証処理は、遊技台１００から認証情報の登録が完了した旨の通知を受け取った認証情報生成部１４ｂが、認証依頼部１４ｄに対して認証依頼を生成すべき旨を通知することによって開始される。
【０１１４】
待機中常時（Ｔ−２）とは、たとえば、一定時間が経過する毎、一定金額が入金される毎あるいは一定個数の遊技媒体が貸し出される毎に共有処理および相互認証処理を行う場合を示す。かかる場合（Ｔ−２）は、共有処理および相互認証処理を接続時にのみ行う場合（Ｔ−１）と比較して、認証情報が頻繁に更新されることとなる。このため、認証情報を含んだ認証依頼が傍受された場合であっても、傍受した認証依頼を用いて台間装置１０や遊技台１００に対して不正に相互認証を行わせるゴト行為を困難化することができる。
【０１１５】
また、遊技客からの操作に応じた任意のタイミングとしては、入金時（Ｔ−３）、貸出ボタン押下時（Ｔ−４）、貸出指示前（Ｔ−４Ａ）、貸出指示後（Ｔ−４Ｂ）、カード返却時（Ｔ−５）がある。入金時（Ｔ−３）とは、たとえば、入金を検知した時点、入金検知後から入金確定までの任意の時点あるいは入金が確定した時点で、共有処理および相互認証処理が行われる場合を示す。なお、入金とは、紙幣挿入部５２に対して紙幣を挿入すること、あるいは、プリペイド価値が関連付けられたカードをカード挿入部５６に対して挿入することを示す。
【０１１６】
貸出ボタン押下時（Ｔ−４）とは、遊技客によって遊技台１００の貸出ボタンが押下された時点で共有処理および相互認証処理を行うことを示す。貸出指示前（Ｔ−４Ａ）とは、貸出ボタン押下後から貸出指示を行うまで任意の時点で、共有処理および相互認証処理を行うことを示す。貸出指示後（Ｔ−４Ｂ）とは、台間装置１０が遊技台１００から貸出完了通知を受けた時点で、共有処理および相互認証処理を行うことを示す。
【０１１７】
ここで、遊技媒体の貸出指示は、貸出ボタンの１回の押下に対して複数回行われる場合がある。たとえば、貸出ボタンが１回押下されることによって、遊技媒体が５回に分けて貸し出される場合には、貸出指示は、遊技台１００に対して５回送信される。
【０１１８】
なお、貸出ボタンの押下時だけでなく、計数部５７で計数された遊技媒体（持玉）の再利用を行うための「持玉払出ボタン」が押下された時点で、共有処理および相互認証処理を行うこととしてもよい。また、計数部５７が持玉の計数処理を開始した時点で、共有処理および相互認証処理を行ってもよい。
【０１１９】
カード返却時（Ｔ−５）とは、遊技客によってカードの返却ボタンが押下された時点、管理装置２００が有する持玉ＤＢ２０１ｃの更新中の任意の時点あるいは持玉ＤＢ２０１ｃの更新終了時点で、共有処理および相互認証処理を行うことを示す。
【０１２０】
また、異常状態の発生に起因するタイミングとしては、異常復帰時（Ｔ−６）や想定外の動作の検出時（Ｔ−７）がある。異常復帰時（Ｔ−６）とは、台間装置１０が、異常状態から復帰した旨の異常状態解除通知を遊技台１００から受けた時点で、共有処理および相互認証処理を行うことを示す。ここで、「異常」とは、たとえば、玉詰まり状態や玉切れ状態、遊技台１００の前面に設けられた扉が開いた状態など正常に遊技を行うことができない状態を示す。
【０１２１】
また、想定外の動作の検出時（Ｔ−７）とは、遊技台１００による想定外の動作を検出した時点で、共有処理および相互認証処理を行うことを示す。ここで、「遊技台１００による想定外の動作」とは、たとえば、台間装置１０が、貸出指示を行っていないにも拘わらず遊技台１００から貸出完了通知を受けた時点等を示す。なお、台間装置１０は、異常状態である旨の異常状態通知を遊技台１００から受けた場合あるいは遊技台１００による想定外の動作を検出した場合には、認証情報を削除してもよい。
【０１２２】
具体的には、タイミング検知部１４ｃは、遊技台１００に異常が発生した旨の異常状態通知を受けた場合あるいは遊技台１００による想定外の動作を検出した場合に、認証情報生成部１４ｂに対して認証情報を削除すべき旨を通知する。そして、認証情報生成部１４ｂは、認証情報を削除すべき旨の通知を受けると、記憶部１３に記憶された認証情報１３ａを削除する。
【０１２３】
また、台間装置１０は、遊技台１００による想定外の動作を検出した場合には、認証情報を削除したのち、遊技台１００に対して異常状態通知を送信する。そして、遊技台１００は、台間装置１０から異常状態通知を受けると、異常が発生した旨を表示部１０２に対して表示する。なお、台間装置１０は、遊技台１００に対して異常状態通知を送信したのち、エラーダウンすることとしてもよい。
【０１２４】
このように、認証情報の共有処理や相互認証処理を様々なタイミングで行い、台間装置および遊技台間で共有する認証情報を頻繁に更新することによって、傍受した認証依頼を用いたゴト行為を困難化することができる。
【０１２５】
図７の説明に戻り、その他の実行タイミングについて説明する。台間装置１０および遊技台１００は、図７の（２）に示すように、共有処理を１回行った後に複数回の相互認証処理を行ってもよい。すなわち、共有処理によって台間装置１０および遊技台１００間で共有された認証情報を複数の相互認証処理に用いることで、共有処理にかかる処理負荷を軽減させることができる。
【０１２６】
たとえば、台間装置１０および遊技台１００は、台間装置１０および遊技台１００間の接続時（Ｔ−１）に共有処理および相互認証処理を行った後、Ｔ−２〜Ｔ−６の各タイミングでさらに相互認証処理を行ってもよい。
【０１２７】
また、台間装置１０および遊技台１００は、入金検知時に共有処理および相互認証処理を行った後、入金確定前、入金確定時にさらに相互認証処理を行うこととしてもよい。また、台間装置１０および遊技台１００は、返却ボタン押下時に共有処理および相互認証処理を行い、持玉ＤＢ２０１ｃの更新中、持玉ＤＢ２０１ｃの更新終了時にさらに相互認証処理を行うこととしてもよい。
【０１２８】
また、貸出ボタンの１回の押下に対して遊技媒体の貸出指示が複数回行われる場合には、台間装置１０および遊技台１００は、貸出ボタン押下時（Ｔ−４）に共有処理を行った後、貸出指示ごとに相互認証処理を行ってもよい。
【０１２９】
次に、貸出ボタン押下時に共有処理を行った後、貸出指示ごとに相互認証処理を行う場合について図９を用いて説明する。図９は、貸出ボタン押下時に共有処理を行った後、貸出指示ごとに相互認証処理を行う場合を示すシーケンス図である。
【０１３０】
なお、同図では、貸出ボタンの押下が台間装置１０側で行われる場合について示しているが、貸出ボタンの設置位置は、台間装置１０に限られない。すなわち、台間装置１０と遊技台１００とを接続する図示しないコネクタ経由で、遊技台１００に設けられた貸出ボタンからの信号を台間装置１０が受け付けることとしてもよい。
【０１３１】
図９に示すように、遊技客によって貸出ボタンが押下されると（ステップＳ４０１）、台間装置１０および遊技台１００間で認証情報の共有処理が行われる（ステップＳ４０２）。具体的には、共有処理は、タイミング検知部１４ｃが、貸出ボタンが押下されたことを検知し、認証情報生成部１４ｂに対して認証情報を生成すべき旨を通知することによって開始される。
【０１３２】
認証情報の共有処理が終了すると、台間装置１０では、暗号化・復号部１４ａが、遊技台１００の状態を確認するための状態確認通知を認証鍵１３ｂを用いて暗号化したうえで遊技台１００へ送信する（ステップＳ４０３）。そして、遊技台１００は、遊技媒体の貸出処理が可能な状態である場合には、暗号化・復号部１０５ａが、貸出可能状態通知を認証鍵１０４ｂで暗号化したうえで台間装置１０へ送信する（ステップＳ４０４）。
【０１３３】
つづいて、台間装置１０が遊技台１００から貸出可能状態通知を受信すると、台間装置１０および遊技台１００は、相互認証処理を行う（ステップＳ４０５）。そして、台間装置１０では、台間装置１０および遊技台１００が相互認証処理によって認証されたならば、許可部１４ｆから許可通知を受けた貸出指示部１４ｇが、貸出指示数を含んだ貸出指示を遊技台１００へ送信する（ステップＳ４０６）。また、貸出指示部１４ｇは、貸出指示を終えると、許可部１４ｆから受けた許可通知を無効化し、遊技媒体の貸出禁止状態へと移行する。
【０１３４】
また、遊技台１００では、貸出指示を受信したならば、貸出実行部１０５ｆが、遊技媒体の貸出処理を実行する（ステップＳ４０７）。具体的には、遊技台１００では、貸出実行部１０５ｆが、台間装置１０から通知された貸出指示から貸出指示数を取得し、取得した貸出指示数と同数の遊技媒体の貸し出しを貸出部１０３に実行させる。
【０１３５】
つづいて、遊技台１００では、貸出処理が完了すると、貸出完了通知を台間装置１０へ送信する（ステップＳ４０８）。そして、台間装置１０では、貸出完了通知を受け取ると、貸出指示部１４ｇが、全ての貸出指示を行ったか否かを判定する（ステップＳ４０９）。
【０１３６】
たとえば、貸出ボタンが１回押下されることによって、遊技媒体が５回に分けて貸し出される場合には、貸出指示部１４ｇは、貸出指示を５回行ったか否かを判定する。そして、残りの貸出指示が存在する場合（ステップＳ４０９，Ｎｏ）、台間装置１０は、ステップＳ４０３以降の処理を繰り返す。
【０１３７】
一方、全ての貸出指示を行ったと判定した場合には（ステップＳ４０９，Ｙｅｓ）、台間装置１０および遊技台１００は、認証情報の削除処理を行う（ステップＳ４１０）。
【０１３８】
このように、貸出指示ごとに相互認証処理を行い、貸出指示が完了したならば貸出指示を禁止することによって、遊技台１００に対する遊技媒体の貸出指示が許可される期間を必要最小限に留めることができるため、ゴト行為に対するセキュリティ性をより一層高めることができる。
【０１３９】
なお、台間装置１０は、遊技台１００を認証しなかった場合、すなわち、認証依頼から取り出した認証情報１０４ａと記憶部１３に記憶された認証情報１３ａとが異なる場合には、異常対応処理を行う。具体的には、台間装置１０では、遊技台認証部１４ｅが、異常対応処理として、表示部１２に対して異常が発生した旨を表示させる。また、遊技台認証部１４ｅは、異常対応処理として、自装置をエラーダウンさせることとしてもよい。
【０１４０】
同様に、遊技台１００は、台間装置１０を認証しなかった場合、すなわち、認証依頼から取り出した認証情報１３ａと記憶部１０４に記憶された認証情報１０４ａとが異なる場合には、異常対応処理を行う。具体的には、遊技台１００では、台間装置認証部１０５ｃが、異常対応処理として、表示部１０２に対して異常が発生した旨の表示を行わせる。
【０１４１】
なお、図９では、貸出ボタン押下時に共有処理を行った後、貸出指示ごとに相互認証処理を行う場合について説明したが、これに限らず、貸出指示ごとに共有処理および相互認証処理を行ってもよい。
【０１４２】
ところで、これまでは、認証情報の削除処理を認証情報の共有処理に先立って行う場合について説明してきたが、認証情報の削除処理は、任意のタイミングで行われることとしてもよい。たとえば、削除処理は、認証情報の共有処理や相互認証処理が行われてから一定時間が経過した場合や、一定個数あるいは一定金額の遊技媒体が貸し出された場合のように定期的に行われてもよい。また、削除処理は、故障やエラーといった異常が発生した場合あるいは遊技台１００による想定外の動作を検知した場合のような異常時に行われてもよい。また、削除処理は、貸出指示ごとに行ってもよい。
【０１４３】
このように、台間装置１０および遊技台１００間で共有した認証情報に有効期間を設けることによって、認証情報が傍受された場合であっても、傍受した認証依頼を用いたゴト行為を困難化することができる。
【０１４４】
また、これまでは、遊技媒体の貸出指示を暗号化せずに送信する場合について説明した。しかしながら、貸出指示を暗号化せずに送信することとした場合、遊技台１００は、貸出指示の送信元が台間装置１０であるかぶら下がり基板であるかを特定することができない。
【０１４５】
このため、遊技台１００は、貸出処理の実行が許可された状態のときに、ぶら下がり基板から不正な貸出指示を受けた場合には、かかる不正な貸出指示によって貸出処理を実行してしまうおそれがある。そこで、台間装置１０は、認証情報１３ａを含んだ貸出指示を認証鍵１３ｂを用いて暗号化したうえで遊技台１００へ送信することとしてもよい。
【０１４６】
以下では、貸出指示ごとに共有処理および相互認証処理を行う場合および貸出指示を暗号化したうえで送信する場合について図１０を用いて説明する。図１０は、貸出指示ごとに共有処理および相互認証処理を行う場合および貸出指示を暗号化する場合を示すシーケンス図である。
【０１４７】
図１０に示すように、遊技客によって貸出ボタンが押下されると（ステップＳ５０１）、台間装置１０および遊技台１００間で認証情報の共有処理が行われる（ステップＳ５０２）。認証情報の共有処理が終了すると、台間装置１０では、暗号化・復号部１４ａが、状態確認通知を認証鍵１３ｂを用いて暗号化したうえで遊技台１００へ送信する（ステップＳ５０３）。
【０１４８】
そして、遊技台１００は、遊技媒体の貸出処理が可能な状態である場合には、暗号化・復号部１０５ａが、貸出可能状態通知を認証鍵１０４ｂで暗号化したうえで台間装置１０へ送信する（ステップＳ５０４）。
【０１４９】
つづいて、台間装置１０が遊技台１００から貸出可能状態通知を受信すると、台間装置１０および遊技台１００は、相互認証処理を行う（ステップＳ５０５）。そして、台間装置１０では、台間装置１０および遊技台１００が相互認証処理によって認証されたならば、台間装置１０は、貸出指示数を含んだ貸出指示を暗号化したうえで遊技台１００へ送信する（ステップＳ５０６）。
【０１５０】
具体的には、まず、許可部１４ｆから許可通知を受けた貸出指示部１４ｇが、貸出指示数および認証情報１３ａを含んだ貸出指示を暗号化・復号部１４ａへ渡す。つづいて、暗号化・復号部１４ａは、貸出指示部１４ｇから受け取った貸出指示を認証鍵１３ｂを用いて暗号化したうえで遊技台１００へ送信する。
【０１５１】
また、遊技台１００は、貸出指示を受信したならば、遊技媒体の貸出処理を実行する（ステップＳ５０７）。具体的には、まず、暗号化・復号部１０５ａは、暗号化された貸出指示を認証鍵１０４ｂを用いて復号し、復号した貸出指示を台間装置認証部１０５ｃへ渡す。
【０１５２】
つづいて、台間装置認証部１０５ｃは、暗号化・復号部１０５ａから受け取った貸出指示から認証情報１３ａを取り出し、取り出した認証情報１３ａと記憶部１０４に記憶された認証情報１０４ａとを対比する。
【０１５３】
また、台間装置認証部１０５ｃは、貸出指示から取り出した認証情報１３ａと記憶部１０４に記憶された認証情報１０４ａとが一致したならば、暗号化・復号部１０５ａから受け取った貸出指示を貸出実行部１０５ｆへ渡す。そして、貸出実行部１０５ｆは、台間装置認証部１０５ｃから受け取った貸出指示に基づき、遊技媒体の貸出処理を実行する。
【０１５４】
つづいて、遊技台１００は、貸出処理が完了したならば、貸出完了通知を台間装置１０へ送信する（ステップＳ５０８）。具体的には、貸出実行部１０５ｆは、認証情報１０４ａを含んだ貸出完了通知を生成して、暗号化・復号部１０５ａへ渡す。つづいて、暗号化・復号部１０５ａは、貸出実行部１０５ｆから受け取った貸出完了通知を認証鍵１０４ｂを用いて暗号化したうえで台間装置１０へ送信する。
【０１５５】
つづいて、台間装置１０が貸出完了通知を受信したならば、台間装置１０および遊技台１００間で認証情報の削除処理が行われる（ステップＳ５０９）。具体的には、まず、暗号化・復号部１４ａは、暗号化された貸出完了通知を認証鍵１３ｂを用いて復号し、復号した貸出完了通知を遊技台認証部１４ｅへ渡す。
【０１５６】
つづいて、遊技台認証部１４ｅは、暗号化・復号部１４ａから受け取った貸出完了通知から認証情報１０４ａを取り出し、取り出した認証情報１０４ａと記憶部１３に記憶された認証情報１３ａとを対比する。そして、遊技台認証部１４ｅは、貸出完了通知から取り出した認証情報１０４ａと記憶部１３に記憶された認証情報１３ａとが一致したならば、認証情報生成部１４ｂに対して認証情報を削除すべき旨を通知する。これにより、認証情報の削除処理が開始される。
【０１５７】
つづいて、認証情報の削除処理が完了すると、台間装置１０では、貸出指示部１４ｇが、全ての貸出指示を行ったか否かを判定する（ステップＳ５１０）。そして、台間装置１０は、残りの貸出指示が存在する場合（ステップＳ５１０，Ｎｏ）には、ステップＳ５０２以降の処理を繰り返し、全ての貸出指示を行ったと判定した場合には（ステップＳ５１０，Ｙｅｓ）、待機状態へと移行する。
【０１５８】
このように、貸出指示ごとに共有処理および相互認証処理を行うことによって、各相互認証処理をそれぞれ異なる認証情報を用いて行うことができるため、ゴト行為に対するセキュリティ性をより一層高めることができる。
【０１５９】
また、認証情報１３ａを含んだ貸出指示を認証鍵１３ｂを用いて暗号化したうえで遊技台１００へ送信することによって、遊技台１００は、貸出指示の送信元が台間装置１０であることを確認したうえで貸出処理を行うことができる。
【０１６０】
上述してきたように、本実施例では、遊技台に記憶された認証鍵と対応する認証鍵を記憶部に記憶し、認証情報生成部が、所定の認証情報を遊技台との間で共有し、暗号化・復号部および認証依頼部が、遊技台との間で共有された認証情報を含んだ認証依頼を記憶部に記憶された認証鍵を用いて暗号化したうえで遊技台に対して送信し、暗号化・復号部および許可部が、暗号化された情報を遊技台から受け取った場合に、暗号化された情報を記憶部に記憶された認証鍵を用いて復号することによって得られた復号情報に認証情報が含まれており、かつ、復号情報に含まれる認証情報と遊技台との間で共有された認証情報とが一致したならば、遊技台に対する遊技媒体の貸出指示を許可することとしたので、遊技台に対して不正に貸出指示を行って遊技媒体を獲得するゴト行為に対するセキュリティ性を高めることができる。
【０１６１】
なお、上述した実施例では、台間装置が認証情報の生成を行うこととしたが、認証情報の生成は、遊技台が行ってもよい。この場合、遊技台側に認証情報生成部およびタイミング検知部を設けるとともに台間装置側に認証情報登録部を設けることとすればよい。
【産業上の利用可能性】
【０１６２】
以上のように、本発明にかかる台間装置および遊技媒体貸出システムは、遊技台に対して不正に貸出指示を行って遊技媒体を獲得するゴト行為に対するセキュリティ性を高めたい場合に有用であり、特に、遊技台および遊技台に対応して設けられる台間装置を有する遊技店システムへの適用に適している。
【符号の説明】
【０１６３】
１０    台間装置
１１    通信インタフェース
１２    表示部
１３    記憶部
１３ａ  認証情報
１３ｂ  認証鍵
１４    制御部
１４ａ  暗号化・復号部
１４ｂ  認証情報生成部
１４ｃ  タイミング検知部
１４ｄ  認証依頼部
１４ｅ  遊技台認証部
１４ｆ  許可部
１４ｇ  貸出指示部
２０    店舗内ＬＡＮ
５１    状態表示部
５２    紙幣挿入部
５３    リモコン受光部
５４    表示・操作部
５５    持玉払出部
５６    カード挿入部
５７    計数部
５８    玉貯留部
１００    遊技台
１００ａ  表示部
１００ｂ  操作ボタン
１０１    通信インタフェース
１０２    表示部
１０３    貸出部
１０４    記憶部
１０５    制御部
１０５ａ  暗号化・復号部
１０５ｂ  認証情報登録部
１０５ｃ  台間装置認証部
１０５ｄ  認証依頼部
１０５ｅ  許可部
１０５ｆ  貸出実行部
２００    管理装置
３００    島コントローラ
４００    精算機
５００    景品管理機
６００    カード処理機
７００    景品払出機
【図１】
2011083309.tif 000003
【図２】
2011083309.tif 000004
【図３】
2011083309.tif 000005
【図４】
2011083309.tif 000006
【図５】
2011083309.tif 000007
【図６】
2011083309.tif 000008
【図７】
2011083309.tif 000009
【図８】
2011083309.tif 000010
【図９】
2011083309.tif 000011
【図１０】
2011083309.tif 000012